(57)【要約】【課題】本発明は、施工性を向上しつつ、耐火性能の低下を低減することができる柱梁接合構造を得ることを目的とする。【解決手段】柱梁接合構造１０は、柱１２と、梁４０とを備えている。柱１２の側面には、ガセットプレート２６Ｂが設けられている。梁４０は、木質心部４２と、木質心部４２を耐火被覆する燃え止まり層４６及び燃え代層４８とを有している。この梁４０には、梁端部４０Ａの下面４０Ｌから燃え止まり層４６及び燃え代層４８を貫通して木質心部４２へ延びるスリット５４が形成されている。このスリット５４には、柱１２のガセットプレート２６Ｂが挿入される。さらに、スリット５４には、燃え止まり層４６の一部を形成するモルタル栓６２と、燃え代層４８の一部を形成する木栓６４とが梁端部４０Ａの下面４０Ｌ側から挿入される。【選択図】図４
2014201984.tif 000002
【特許請求の範囲】
【請求項１】
側面に接合プレートが設けられた柱と、
木質心部と、前記木質心部を耐火被覆する耐火被覆層とを有し、梁端部の下面から前記耐火被覆層を貫通して前記木質心部へ延びると共に前記接合プレートが挿入されるスリットが形成された梁と、
前記梁端部の下面側から前記スリットに挿入され、前記耐火被覆層の一部を形成する耐火被覆部を有する栓部材と、
を備えた柱梁接合構造。
【請求項２】
前記耐火被覆層が、前記木質心部の下面を耐火被覆する複数のセメント硬化体を有し、
前記スリットが、隣接する前記セメント硬化体の間に形成されている、
請求項１に記載の柱梁接合構造。
【請求項３】
前記栓部材が、前記スリットに折り畳まれた状態で圧入される耐火シートである、
請求項１または請求項２に記載の柱梁接合構造。
【発明の詳細な説明】
【技術分野】
【０００１】
本発明は、柱梁接合構造に関する。
【背景技術】
【０００２】
木製の荷重支持部と、荷重支持部の外周に設けられた燃え止まり層及び燃え代層とを備えた耐火性能を有する梁が知られている（例えば、特許文献１，２参照）。
【０００３】
また、木質梁の梁端面に形成されたスリットに、木質柱の側面から突出するガセットプレートを挿入し、これらの梁端部及びガセットプレートにボルト等を貫通させて接合する柱梁接合構造が知られている（例えば、特許文献３〜５参照）。
【先行技術文献】
【特許文献】
【０００４】
【特許文献１】特開２００５−３６４５６号公報
【特許文献２】特開２００５−３６４５７号公報
【特許文献３】特開２０１０−２５５２５６号公報
【特許文献４】特開平９−１２５５３２号公報
【特許文献５】特開平１０−０１８４３８号公報
【発明の概要】
【発明が解決しようとする課題】
【０００５】
ところで、特許文献１，２に開示されたような耐火性能を有する梁の梁端部の下面に、柱のガセットプレートを挿入するスリットを形成することが考えられる。
【０００６】
しかしながら、梁端部の下面にスリットを形成すると、スリットを介して耐火木質梁の内部に火災熱等が浸入する可能性がある。
【０００７】
この対策として、梁端部の上面にスリットを形成することが考えられる。
【０００８】
しかしながら、梁端部の上面にスリットを形成した場合、柱のガセットプレートの下側に梁を配置した後、当該梁を揚重機等で引き上げながらスリットにガセットプレートを挿入する必要がある。そのため、梁の下側に、当該梁を仮支持する仮サポート（支保工）等を予め設置することができず、施工性が低下する。
【０００９】
本発明は、上記の事実を考慮し、施工性を向上しつつ、耐火性能の低下を低減することができる柱梁接合構造を得ることを目的とする。
【課題を解決するための手段】
【００１０】
請求項１に記載の柱梁接合構造は、側面に接合プレートが設けられた柱と、木質心部と、前記木質心部を耐火被覆する耐火被覆層とを有し、梁端部の下面から前記耐火被覆層を貫通して前記木質心部へ延びると共に前記接合プレートが挿入されるスリットが形成された梁と、前記梁端部の下面側から前記スリットに挿入され、前記耐火被覆層の一部を形成する耐火被覆部を有する栓部材と、を備えている。
【００１１】
請求項１に係る柱梁接合構造によれば、梁の梁端部には、その下面から耐火被覆層を貫通して木質心部へ延びるスリットが形成されている。これにより、柱の接合プレートに対して上側から梁を降ろすことにより、接合プレートをスリットに挿入することができる。したがって、梁の下側に仮サポート等を予め設置することができるため、施工性が向上する。
【００１２】
また、スリットには、栓部材が挿入される。この栓部材は、耐火被覆層の一部を形成する耐火被覆部を有している。したがって、スリットに栓部材を挿入することにより、火災時にスリットを介して梁の木質心部に浸入する火災熱等が抑制される。よって、梁の耐火性能が確保される。
【００１３】
このように本発明では、施工性を向上しつつ、梁の耐火性能を確保することができる。
【００１４】
請求項２に記載の柱梁接合構造は、請求項１に記載の柱梁接合構造において、前記耐火被覆層が、前記木質心部の下面を耐火被覆する複数のセメント硬化体を有し、前記スリットが、隣接する前記セメント硬化体の間に形成されている。
【００１５】
請求項２に係る柱梁接合構造によれば、耐火被覆層が、木質心部の下面を耐火被覆する複数のセメント硬化体を有している。そして、隣接するセメント硬化体の間にスリットが形成されている。これにより、セメント硬化体にスリットを形成する場合と比較して、梁の下面にスリットを形成し易くなる。したがって、梁の製作性が向上する。
【００１６】
また、スリットの両側にセメント硬化体を配置したことにより、スリット周辺の熱容量が大きくなる。これにより、火災時にスリットを介して梁の木質心部に浸入する火災熱等が抑制される。したがって、梁の耐火性能が確保される。
【００１７】
このように本発明では、梁の製作性を向上しつつ、梁の耐火性能を確保することができる。
【００１８】
請求項３に記載の柱梁接合構造は、請求項１または請求項２に記載の柱梁接合構造において、前記栓部材が、前記スリットに折り畳まれた状態で圧入される耐火シートである。
【００１９】
請求項３に係る柱梁接合構造によれば、梁の下面に形成されたスリットに耐火シートを折り畳んだ状態で圧入することにより、耐火シートによって耐火被覆層の一部が形成される。これにより、火災時にスリットを介して梁の木質心部に浸入する火災熱等が抑制される。したがって、梁の耐火性能が確保される。
【００２０】
また、耐火シートを折り畳んだ状態でスリットに圧入することにより、スリットの内壁に耐火シートが密着するため、当該スリットを密閉することができる。したがって、梁の耐火性能を確実なものとできる。
【発明の効果】
【００２１】
以上説明したように、本発明に係る柱梁接合構造によれば、施工性を向上しつつ、耐火性能を確保することができる。
【図面の簡単な説明】
【００２２】
【図１】本発明の一実施形態に係る柱梁接合構造が適用された柱及び梁を示す立面図である。
【図２】図１の２−２線断面図である。
【図３】図１の３−３線断面図である。
【図４】図３の拡大断面図である。
【図５】図１に示される柱に梁を接合する前の状態を示す立面図である。
【図６】（Ａ）はスリットにモルタル栓を挿入する前の状態を示す図４に対応する拡大断面図であり、（Ｂ）はスリットに木栓を挿入する前の状態を示す図４に対応する拡大断面図である。
【図７】本発明の一実施形態に係る柱梁接合構造の変形を示す図４に対応する拡大断面図である。
【図８】本発明の一実施形態に係る柱梁接合構造の変形を示す図４に対応する拡大断面図である。
【図９】本発明の一実施形態に係る柱梁接合構造の変形を示す図４に対応する拡大断面図である。
【図１０】本発明の一実施形態に係る柱梁接合構造の変形を示す図３に対応する拡大断面図である。
【発明を実施するための形態】
【００２３】
以下、図面を参照しながら、本発明の一実施形態に係る柱梁接合構造について説明する。
【００２４】
図１には、本実施形態に係る柱梁接合構造１０が適用された柱１２及び梁４０が示されている。梁４０は、一対の柱１２（図５参照）の間に架設されており、両側の梁端部４０Ａが柱１２にそれぞれ接合されている。
【００２５】
図２に示されるように、柱１２は、耐火構造が適用されている。この柱１２は、断面矩形（本実施形態では略正方形）に形成されており、荷重を支持する木質心部１３と、木質心部１３を耐火被覆する耐火被覆層１４とを有している。木質心部１３は、木材を板状や角柱状に加工した複数の木製単材を接着剤等で一体化させた集成材によって断面矩形に形成され、柱１２が負担する荷重等を支持可能に構成されている。
【００２６】
耐火被覆層１４は、木質心部１３の外側に配置された燃え止まり層１６と、燃え止まり層１６の外側に配置された燃え代層１８とを有している。なお、燃え止まり層１６及び燃え代層１８は、後述する梁４０の燃え止まり層４６及び燃え代層４８と同様の構成であるため、説明を省略する。
【００２７】
柱１２の側面には、木質心部１３の側面を露出させる溝部２０が形成されている。この溝部２０は上下方向に延びる矩形の長溝とされており、この溝部２０を介して木質心部１３にブラケット２６が固定されている。なお、溝部２０内の側面等には、木質心部１３への熱の浸入を低減するモルタル板２２がそれぞれ貼り合わされている。また、溝部２０には、ロックウール等の断熱材２４が設けられている。
【００２８】
ブラケット２６は平断面視にて略Ｔ字形状に形成されており、木質心部１３に固定されるフランジ２６Ａと、フランジ２６Ａから外側（梁４０側）へ張り出し、梁４０に接合される接合プレートとしてのガセットプレート２６Ｂとを有している。フランジ２６Ａは、柱１２の木質心部１３の側面に重ねられており、木質心部１３を貫通する複数のボルト２８及びナット３０によって木質心部１３に固定されている。なお、木質心部１３における溝部２０と反対側の側面には、ナット３０及び支圧板３２が収容される溝部３４が形成されている。
【００２９】
図２及び図３に示されるように、梁４０には、耐火構造が適用されている。この梁４０は、断面矩形（本実施形態では長手方向を上下方向（梁成方向）とした断面略長方形）に形成されており、荷重を支持する木質心部４２と、木質心部４２を耐火被覆する耐火被覆層４４とを有している。木質心部４２は、複数の木製単材を接着剤等で一体化させた集成材によって断面略矩形に形成され、梁４０が負担する長期荷重及び短期荷重等を支持可能に構成されている。
【００３０】
耐火被覆層４４は、木質心部４２の外側に配置された燃え止まり層４６と、燃え止まり層４６の外側に配置された燃え代層４８とを有している。燃え止まり層４６は、火災時における燃え代層４８の燃焼を停止（自然鎮火）させ、木質心部４２の燃焼を抑制する層である。この燃え止まり層４６は、上方が開口した断面略Ｃ字形状に形成されており、木質心部４２の両側面及び下面を被覆している。
【００３１】
本実施形態では、燃え止まり層４６は、木質心部４２よりも熱容量が大きい高熱容量層（熱容量型）とされている。具体的には、燃え止まり層４６は、木質心部４２の両側面及び下面に沿って交互に配列された複数のモルタル硬化体（モルタル板）５０及び木材（木板）５２を有している。モルタル硬化体５０及び木材５２は断面略矩形に形成されており、長手方向を梁４０の材軸方向として配置されている。
【００３２】
モルタル硬化体５０は、木材５２よりも熱容量が大きくなっている。このモルタル硬化体５０と木材５２とを交互に配置することにより、燃え止まり層４６の熱容量が全体として木質心部４２及び燃え代層４８の熱容量よりも大きくなっている。また、木材５２は、木質心部４２に接着剤等で接合されている。
【００３３】
燃え止まり層４６の外側には、木製の燃え代層４８が配置されている。燃え代層４８は、火災時に燃焼して炭化層（断熱層）を形成することにより、木質心部４２への火災熱の浸入を抑制する層であり、木製単材を接着剤等で一体化させた集成材によって形成されている。この燃え代層４８は、梁４０の場合、上方が開口した断面略Ｃ字形状に形成されており、燃え止まり層４６の両側面及び下面を被覆している。また、燃え代層４８は、燃え止まり層４６の木材５２に接着剤等で接合されており、木材５２を介して木質心部４２に支持されている。なお、燃え代層４８の厚み（層厚）は、梁４０に求められる要求耐火性能（耐火時間）や燃え代層４８の燃焼速度及び遮熱性能に応じて適宜設定されている。
【００３４】
梁４０の下面４０Ｌには、耐火被覆層４４を貫通し、木質心部４２へ延びるスリット５４が形成されている。スリット５４は、梁４０の下面４０Ｌにおける梁幅方向の中央部から木質心部４２の上部へ延びており、梁４０の下面４０Ｌ及び端面４０Ｔ（図２参照）を開口している。なお、スリット５４は、梁４０の上面４０Ｕを開口しておらず、施工時に梁４０の上面４０Ｕから雨水等が梁４０の内部へ浸入しないようになっている。
【００３５】
スリット５４には、梁４０の下面４０Ｌ側からガセットプレート２６Ｂが挿入されている。図２に示されるように、ガセットプレート２６Ｂ及び梁端部４０Ａには、梁端部４０Ａの側面から複数のドリフトピン５６が貫通されており、これらのドリフトピン５６によってガセットプレート２６Ｂと梁端部４０Ａとが接合されている。
【００３６】
なお、木質心部４２の端面には、燃え止まり層４６と同じ構成のモルタル硬化体５８が設けられている。また、柱１２の側面と梁４０の端面４０Ｔとの隙間には、当該隙間を塞ぐ木製の目地材６０が挿入されている。
【００３７】
ここで、図４に示されるように、スリット５４は、隣接するモルタル硬化体５０の間に形成されている。具体的には、隣接するモルタル硬化体５０の間には、木材５２が配置されている。この木材５２にスリット５４が形成されている。スリット５４は、木材５２を上下方向に貫通しており、当該スリット５４によって木材５２が２つの木材５２Ａ，５２Ｂに分割されている。
【００３８】
スリット５４には、栓部材としてのモルタル栓６２及び木栓６４がこの順で挿入されている。燃え止まり層用栓部材としてのモルタル栓６２は、モルタル硬化体５０と同じモルタルによって断面略矩形の棒状に形成されており、梁４０の下面４０Ｌ側からスリット５４に嵌め込まれている。このモルタル栓６２は、燃え止まり層４６に配置されてスリット５４を塞ぐと共に、当該燃え止まり層４６の一部を形成している。
【００３９】
また、モルタル栓６２は、複数の釘６６によって梁４０に固定されている。複数の固定部材としての複数の釘６６は、スリット５４の両側の内壁にモルタル栓６２の長手方向（梁４０の軸方向）に間隔を空けて打ち込まれている。各釘６６は、その頭部にモルタル栓６２の角部が引っ掛けるようにスリット５４の内壁に斜めに打ち込まれ、木材５２Ａまたは木材５２Ｂを貫通して木質心部４２に達している。これらの釘６６によって、モルタル栓６２が燃え止まり層４６で保持されている。
【００４０】
燃え代層用栓部材としての木栓６４は、燃え代層４８と同じ木材によって断面略矩形の棒状に形成されており、梁４０の下面４０Ｌからスリット５４に嵌め込まれている。この木栓６４は、燃え止まり層４６に配置されてスリット５４を塞ぐと共に、当該燃え代層４８の一部を形成している。
【００４１】
また、木栓６４は、釘６８によって梁４０に固定されている。複数の固定部材としての複数の釘６８は、スリット５４の両側の内壁に木栓６４の長手方向（梁４０の軸方向）に間隔を空けて打ち込まれている。各釘６８は、その頭部に木栓６４の角部が引っ掛けるようにスリット５４の内壁に斜めに打ち込まれ、燃え代層４８を貫通して燃え止まり層４６の木材５２Ａまたは木材５２Ｂに達している。これらの釘６８によって、木栓６４が燃え代層４８で保持されている。
【００４２】
次に、本実施形態に係る柱梁接合構造１０の施工方法の一例について説明する。
【００４３】
先ず、図５に示されるように、一対の柱１２を立てると共に、この一対の柱１２の間に仮サポート（支保工）７０を仮設する。次に、図示しない揚重機等によって吊り上げられた梁４０を、一対の柱１２の間に降ろす。この際、梁４０の両側の梁端部４０Ａに形成されたスリット５４に、一対の柱１２の側面から張り出すガセットプレート２６Ｂをそれぞれ挿入する。次に、梁端部４０Ａの側面からドリフトピン５６（図２参照）を挿入し、梁端部４０Ａをガセットプレート２６Ｂに接合する。
【００４４】
次に、図６（Ａ）に示されるようにスリット５４にモルタル栓６２を挿入する（嵌め込む）すると共に、図６（Ｂ）に示されるようにスリット５４の内壁に複数の釘６６を打ち込んでモルタル栓６２を梁端部４０Ａに固定する。このモルタル栓６２によってスリット５４が塞がれると共に、燃え止まり層４６の一部が形成される。
【００４５】
次に、図６（Ｂ）に示されるようにスリット５４に木栓６４を挿入する（嵌め込む）と共に、図４に示されるようにスリット５４の内壁に複数の釘６８を打ち込んで木栓６４を梁端部４０Ａに固定する。これにより、スリット５４が塞がれると共に、燃え代層４８の一部が形成される。その後、梁４０の上に、図示しないコンクリートスラブ等が構築される。
【００４６】
次に、本実施形態の作用について説明する。
【００４７】
図４に示されるように、梁４０の梁端部４０Ａには、その下面４０Ｌから燃え代層４８及び燃え止まり層４６を貫通して木質心部４２へ延びるスリット５４が形成されている。したがって、前述したように、柱１２の側面から張り出すガセットプレート２６Ｂに対して上側から梁４０を降ろすことにより、ガセットプレート２６Ｂをスリット５４に挿入することができる。したがって、梁４０の下側に、仮サポート７０を予め設置することができるため、施工性が向上すると共に、工期の短縮化を図ることができる。
【００４８】
また、スリット５４は、梁４０の上面４０Ｕを開口していない。したがって、施工時に、梁４０の上面４０Ｕから梁４０の内部に浸入する雨水等が抑制される。したがって、梁４０の内部の腐食等が抑制されるため、腐食等に伴う梁４０の耐力の低下や耐火性能の低下が抑制される。
【００４９】
さらに、スリット５４には、モルタル栓６２及び木栓６４が挿入される。これらのモルタル栓６２及び木栓６４によってスリット５４を塞ぐことにより、火災時にスリット５４を介して梁４０の木質心部４２に浸入する火災熱等が抑制される。
【００５０】
また、モルタル栓６２は、燃え止まり層４６の一部を形成している。つまり、モルタル栓６２は、火災時に燃え止まり層４６として機能する。これと同様に、木栓６４は、燃え代層４８の一部を形成している。つまり、木栓６４は、火災時に燃え代層４８として機能する。これにより、火災時にスリット５４を介して梁４０の木質心部４２に浸入する火災熱等がさらに抑制される。したがって、梁４０の耐火性能の低下が低減される。
【００５１】
このように本実施形態では、施工性を向上しつつ、梁４０の耐火性能を確保することができる。
【００５２】
また、スリット５４は、隣接するモルタル硬化体５０の間に形成されている。これにより、例えば、モルタル硬化体５０にスリット５４を形成する場合と比較して、梁４０の下面４０Ｌにスリット５４を形成し易くなる。したがって、梁４０の製作性が向上する。
【００５３】
さらに、スリット５４の両側にモルタル硬化体５０を配置したことにより、スリット５４周辺の熱容量が大きくなる。したがって、火災時にスリット５４を介して梁４０の木質心部４２に浸入する火災熱等がさらに抑制される。よって、梁４０の耐火性能が確実に確保される。
【００５４】
しかも、スリット５４に木栓６４を挿入したことにより、木栓６４によってモルタル栓６２が見えなくなる。したがって、梁４０の外観品質が向上する。
【００５５】
次に、上記実施形態の変形例について説明する。
【００５６】
上記実施形態では、スリット５４にモルタル栓６２及び木栓６４を挿入した例を示したが、これに限らない。例えば、図７に示されるように、スリット５４には、栓部材としてのロックウール７２及び木栓７４を挿入しても良い。この変形例では、燃え止まり層用栓部材としてのロックウール７２の一部によって燃え止まり層４６の一部が形成されると共に、燃え代層用栓部材としての木栓７４によって燃え止まり層４６の一部が形成されている。
【００５７】
また、図８に示されるように、スリット５４には、栓部材のとしての耐火シート７６及び木栓７４を挿入しても良い。燃え止まり層用栓部材としての耐火シート７６は、ロックウール等の不燃材をシート状に成形した巻き付け式の耐火被覆材で形成されている。この耐火シート７６は、２つに折り畳まれた状態で梁４０の下面４０Ｌ側からスリット５４に圧入されており、スリット５４を塞ぐと共に、燃え止まり層４６の一部を形成している。
【００５８】
このように本変形例では、燃え止まり層用栓部材として耐火シート７６を用いることにより、スリット５４を容易に塞ぐことができる。また、スリット５４に耐火シート７６を折り畳んだ状態で圧入することにより、スリット５４の内壁に耐火シート７６を密着させることができる。つまり、耐火シート７６によってスリット５４を密閉することができる。したがって、施工性を向上しつつ、梁４０の耐火性能を確保することができる。
【００５９】
なお、耐火シート７６は２つ折りに限らず、２つ折以上に折り畳んだ状態でスリット５４に圧入しても良い。
【００６０】
また、上記実施形態では、モルタル栓６２によって燃え止まり層４６の一部を形成した例を示したが、これに限らない。前述したように、高熱容量層である燃え止まり層４６は、燃え代層４８の燃焼を停止（自然鎮火）可能な所定の熱容量を有していれば良い。
【００６１】
したがって、例えば、図９に示されるように、隣接するモルタル硬化体５０の間隔Ｄが狭く、スリット５４周辺部の熱容量が所定値（要求熱容量）以上の場合は、燃え止まり層用栓部材として、モルタル栓６２よりも熱容量が小さく、軽量な木栓７８を用いることができる。したがって、施工性が向上する。
【００６２】
なお、木栓７８の上部は、燃え止まり層４６の一部を形成し、燃え止まり層４６を形成する木材５２と同様に機能する。一方、木栓７８の下部は、燃え代層４８の一部を形成し、燃え止まり層４６として機能する。
【００６３】
また、例えば、図１０に示されるように、スリット５４に隣接するモルタル硬化体８０の厚みＴ１を他のモルタル硬化体５０よりも厚みＴ２よりも厚くし、スリット５４周辺部の熱容量を部分的に大きくしても良い。この場合も上記と同様に、モルタル栓６２よりも熱容量が小さく、軽量な木栓７８を用いることができる。したがって、施工性が向上する。
【００６４】
また、上記実施形態では、モルタル栓６２の厚み（高さ）を燃え止まり層４６の厚み（層厚）と略同じにすると共に、木栓６４の厚み（高さ）を燃え代層４８と略同じにした例を示したが、これに限らない。モルタル栓６２及び木栓６４の厚みは、求められる耐火性能に応じて適宜設定すれば良く、例えば、モルタル栓６２の厚みを燃え止まり層４６よりも厚くし、当該モルタル栓６２を木質心部４２及び燃え止まり層４６に亘って配置しても良いし、燃え止まり層４６及び燃え代層４８に亘って配置しても良い。さらに、モルタル栓６２は、木質心部４２、燃え止まり層４６、及びも燃え代層４８の三層に亘って配置しても良い。なお、モルタル栓６２を燃え代層４８に配置する場合は、木栓６４の厚みを薄くすれば良い。
【００６５】
また、木栓６４の厚みを燃え代層４８よりも厚くし、木栓６４を燃え止まり層４６及び燃え代層４８に亘って、または木質心部４２、燃え止まり層４６、及び燃え代層４８の三層に亘って配置することも可能である。さらに、モルタル栓６２及び木栓６４の何れか一方を省略することも可能である。
【００６６】
また、上記実施形態では、モルタル栓６２及び木栓６４を釘６６，６８によって梁端部４０Ａに固定した例を示したが、これに限らない。固定部材は、火災時にモルタル栓６２及び木栓６４が脱落しないように、モルタル栓６２及び木栓６４を梁４０に固定可能であれば良く、例えば、ビスやネジ等であっても良い。なお、固定部材は、鉄等の金属のように火災熱等によって燃焼しないものが望ましい。また、モルタル栓６２及び木栓６４は、スリット５４の内壁に耐火性能を有する接着剤等で接合しても良い。
【００６７】
また、上記実施形態では、燃え止まり層４６をモルタル硬化体５０及び木材５２で形成した例を示したが、木材５２は適宜省略可能である。さらに、上記実施形態では、梁４０の木質心部４２の下面を被覆するセメント系硬化体としてモルタル硬化体５０を用いた例を示したが、これに限らない。セメント系硬化体としては、例えば、グラウト硬化体やコンクリート硬化体を用いても良い。また、燃え止まり層４６は、セメント系硬化体に限らず、熱容量が大きく、不燃性の材料で形成しても良い。
【００６８】
また、木質心部４２及び燃え代層４８は、木材によって形成されていれば良く、例えば、米松、唐松、檜、杉、あすなろ等の一般の木造建築に用いられる木材（以下、「一般木材」とする）で形成される。また、木質心部４２及び燃え代層４８は、集成材に限らず、合板や単一材で形成しても良い。燃え止まり層４６の木材５２についても同様である。
【００６９】
さらに、燃え止まり層４６、及び当該燃え止まり層４６の一部を形成する燃え止まり層用栓部材は、火炎熱の浸入を抑えて燃え止まり効果を発揮可能な層であれば良く、例えば、難燃性を有する難燃性層（難燃性型）や熱の吸収が可能な吸熱性層（吸熱性型）であっても良い。
【００７０】
難燃性層としては、木材に難燃薬剤を注入して不燃化処理した難燃薬剤注入層が挙げられる。また、吸熱性層としては、一般木材よりも熱容量が大きな材料、一般木材よりも断熱性が高い材料、または一般木材よりも熱慣性が高い材料によって形成しても良いし、これらの材料と一般木材とを組み合わせて形成しても良い。さらに、難燃性層と、吸熱性層とを組み合わせて（例えば、難燃性層と、吸熱性層とを交互に配置して）燃え止まり層４６等を形成しても良い。
【００７１】
なお、一般木材よりも熱容量が大きな材料としては、モルタル、石材、ガラス、繊維補強セメント、石膏等の無機質材料、各種の金属材料などが挙げられる。また、一般木材よりも断熱性が高い材料としては、けい酸カルシウム板、ロックウール、グラスウールなどが挙げられる。一般木材よりも熱慣性が高い材料としては、セランガンバツ、ジャラ、ボンゴシ等の木材が挙げられる。
【００７２】
また、上記実施形態では、耐火被覆層４４を燃え止まり層４６及び燃え代層４８の二層構造にした例を示したが、これに限らない。例えば、燃え止まり層４６を省略し、耐火被覆層４４を燃え代層４８のみで構成しても良いし、燃え代層４８を省略し、耐火被覆層４４を燃え止まり層４６のみで構成しても良い。この場合、耐火被覆層の構造に応じて、燃え止まり層用栓部材及び燃え代層用栓部材を適宜設ければ良い。
【００７３】
以上、本発明の一実施形態について説明したが、本発明はこうした実施形態に限定されるものでなく、一実施形態及び各種の変形例を適宜組み合わせて用いても良いし、本発明の要旨を逸脱しない範囲において、種々なる態様で実施し得ることは勿論である。
【符号の説明】
【００７４】
１０    柱梁接合構造
１２    柱
２６    ブラケット
２６Ａ  フランジ
２６Ｂ  ガセットプレート（接合プレート）
４０    梁
４０Ａ  梁端部
４０Ｌ  下面（梁の下面）
４２    木質心部
４４    耐火被覆層
４６    燃え止まり層（耐火被覆層）
４８    燃え代層（耐火被覆層）
５０    モルタル硬化体（セメント硬化体）
５４    スリット
６２    モルタル栓（栓部材）
６４    木栓（栓部材）
７２    ロックウール（栓部材）
７４    木栓（栓部材）
７６    耐火シート（栓部材）
７８    木栓（栓部材）
８０    モルタル硬化体（セメント硬化体）
【図１】
2014201984.tif 000003
【図２】
2014201984.tif 000004
【図３】
2014201984.tif 000005
【図４】
2014201984.tif 000006
【図５】
2014201984.tif 000007
【図６】
2014201984.tif 000008
【図７】
2014201984.tif 000009
【図８】
2014201984.tif 000010
【図９】
2014201984.tif 000011
【図１０】
2014201984.tif 000012